(57)【要約】【課題】  音質を劣化させることのない小型の骨伝導スピーカの提供。【解決手段】  骨伝導スピーカは、装着者の耳朶に取り付ける耳朶取付部と、耳朶取付部から延在する保持部と、保持部に保持されるスピーカとを有し、保持部は、耳朶取付部を耳朶に装着したとき、スピーカの音を発生する振動部が耳介後部に接触する位置にスピーカを保持する構成になっている。スピーカは、一端が開口し他端に底体を有するケースと、ケースの底体に第１の端が固定され反対側の第２の端が開口から突出する振動体と、振動体の両面に取り付けられる圧電素子と、ケースの内外に亘って延在し圧電素子に電気を供給するコードとを有し、振動体の第２の端は圧電素子の動作によって所定の振り幅で振動する。振動体を振動させ、振動体の第２の端の端面を装着者の耳介後部に接触させることによって、振動（音信号）を装着者の聴覚神経に伝達させることができる。【選択図】        図１
2007096386.tif 000002
【特許請求の範囲】
【請求項１】
一端が開口し、前記一端の反対面となる他端に底体を有する筒状のケースと、
前記底体に第１の端が固定され、前記第１の端の反対側となる第２の端が前記開口から突出する薄板形状の振動体と、
前記振動体の少なくとも１面に重ねて取り付けられる両面に電極を有する圧電素子と、
前記ケースの内外に亘って延在し、前記圧電素子に電気を供給するコードとを有し、
前記振動体の前記第２の端は、前記圧電素子の動作によって所定の振り幅で振動するように構成されていることを特徴とするスピーカ。
【請求項２】
前記振動体は金属板からなり、
前記振動体の両面には前記圧電素子がそれぞれ取り付けられ、
前記両圧電素子の前記振動体に接続される内側の電極は前記振動体に接続手段を介して電気的に接続され、
前記両圧電素子の露出する外側の電極は接続手段を介して電気的に接続されていることを特徴とする請求項１に記載のスピーカ。
【請求項３】
前記振動体の周囲は前記ケース内に充填される絶縁性の軟質弾性部材で覆われていることを特徴とする請求項１に記載のスピーカ。
【請求項４】
前記振動体の前記第２の端には前記第２の端面を覆う保護体が取り付けられていることを特徴とする請求項１に記載のスピーカ。
【請求項５】
前記保護体はシリコーンゴム、樹脂、スポンジ、金メッキのうちのいずれかで形成されていることを特徴とする請求項４に記載のスピーカ。
【請求項６】
前記振動体は前記ケースの前記底体に複数枚並列に配置されていることを特徴とする請求項１に記載のスピーカ。
【請求項７】
前記振動体は前記ケースの前記底体に多角形の各辺を構成する配置で相互に接触することなく複数配置されていることを特徴とする請求項１に記載のスピーカ。
【請求項８】
一端が開口し、前記一端の反対面となる他端に底体を有する筒状のケースと、
対面する一対の縦振動板と、前記一対の縦振動板の一端側を連結する横振動板とからなり、前記一対の縦振動板の他端側である開放端が前記ケースの前記底体に固定され、前記横振動板が前記ケースの前記開口から突出する門型の振動体と、
前記一対の縦振動板の両面にそれぞれ重ねて取り付けられる両面に電極を有する圧電素子と、
前記ケースの内外に亘って延在し、前記圧電素子に電気を供給するコードとを有し、
前記門型の振動体の前記各振動板は、前記圧電素子の動作によって所定の振り幅で振動するように構成されていることを特徴とするスピーカ。
【請求項９】
前記振動体は金属板からなり、
前記縦振動板の両面に取り付けられた前記圧電素子の前記縦振動板に接続される内側の電極は前記縦振動板に接続手段を介して電気的に接続され、
前記縦振動板の両面に取り付けられた前記圧電素子の露出する外側の電極は接続手段を介して電気的に接続されていることを特徴とする請求項８に記載のスピーカ。
【請求項１０】
前記縦振動板の周囲は前記ケース内に充填される絶縁性の軟質弾性部材で覆われていることを特徴とする請求項８に記載のスピーカ。
【請求項１１】
前記横振動板の前記ケースの外側に露出する面には保護体が取り付けられていることを特徴とする請求項８に記載のスピーカ。
【請求項１２】
前記保護体はシリコーンゴム、樹脂、スポンジ、金メッキのうちのいずれかで形成されていることを特徴とする請求項１１に記載のスピーカ。
【請求項１３】
装着者の耳朶に取り付ける耳朶取付部と、
前記耳朶取付部から延在する保持部と、
前記保持部に保持されるスピーカとを有し、
前記保持部は、前記耳朶取付部を前記耳朶に装着したとき、前記スピーカの音を発生する振動部が前記装着者の耳介の耳介後部に位置するように前記スピーカを保持する構成になっていることを特徴とする骨伝導スピーカ。
【請求項１４】
前記振動部は、前記耳朶取付部を前記耳朶に装着したとき前記耳介後部に所定の圧力を有して接触する構成になっていることを特徴とする請求項１３に記載の骨伝導スピーカ。
【請求項１５】
前記スピーカは、
一端が開口し、前記一端の反対面となる他端に底体を有する筒状のケースと、
前記底体に第１の端が固定され、前記第１の端の反対側となる第２の端が前記開口から突出する薄板形状の振動体と、
前記振動体の少なくとも１面に重ねて取り付けられる両面に電極を有する圧電素子と、
前記ケースの内外に亘って延在し、前記圧電素子に電気を供給するコードとを有し、
前記振動体の前記第２の端は、前記圧電素子の動作によって所定の振り幅で振動するように構成され、
前記第２の端の端面が前記耳介後部に対面することを特徴とする請求項１３に記載の骨伝導スピーカ。
【請求項１６】
前記振動体は金属板からなり、
前記振動体の両面には前記圧電素子がそれぞれ取り付けられ、
前記両圧電素子の前記振動体に接続される内側の電極は前記振動体に接続手段を介して電気的に接続され、
前記両圧電素子の露出する外側の電極は接続手段を介して電気的に接続されていることを特徴とする請求項１３に記載の骨伝導スピーカ。
【請求項１７】
前記振動体の周囲は前記ケース内に充填される絶縁性の軟質弾性部材で覆われていることを特徴とする請求項１３に記載の骨伝導スピーカ。
【請求項１８】
前記振動体の前記第２の端には前記第２の端面を覆う保護体が取り付けられていることを特徴とする請求項１３に記載の骨伝導スピーカ。
【請求項１９】
前記保護体はシリコーンゴム、樹脂、スポンジ、金メッキのうちのいずれかで形成されていることを特徴とする請求項１８に記載の骨伝導スピーカ。
【請求項２０】
前記振動体は前記ケースの前記底体に複数枚並列に配置されていることを特徴とする請求項１３に記載の骨伝導スピーカ。
【請求項２１】
前記振動体は前記ケースの前記底体に多角形の各辺を構成する配置で相互に接触することなく複数配置されていることを特徴とする請求項１３に記載の骨伝導スピーカ。
【請求項２２】
装着者の耳朶に取り付ける耳朶取付部と、
前記耳朶取付部から延在する保持部と、
前記保持部に保持されるスピーカとを有し、
前記保持部は、前記耳朶取付部を前記耳朶に装着したとき、前記スピーカの音を発生する振動部が前記装着者の耳介の耳介後部に圧着されるように前記スピーカを保持する構成になり、
前記スピーカは、
一端が開口し、前記一端の反対面となる他端に底体を有する筒状のケースと、
対面する一対の縦振動板と、前記一対の縦振動板の一端側を連結する横振動板とからなり、前記一対の縦振動板の他端側である開放端が前記ケースの前記底体に固定され、前記横振動板が前記ケースの前記開口から突出する門型の振動体と、
前記一対の縦振動板の両面にそれぞれ重ねて取り付けられる両面に電極を有する圧電素子と、
前記ケースの内外に亘って延在し、前記圧電素子に電気を供給するコードとを有し、
前記門型の振動体の前記各振動板は、前記圧電素子の動作によって所定の振り幅で振動するように構成されていることを特徴とする骨伝導スピーカ。
【請求項２３】
前記振動体は金属板からなり、
前記縦振動板の両面に取り付けられた前記圧電素子の前記縦振動板に接続される内側の電極は前記縦振動板に接続手段を介して電気的に接続され、
前記縦振動板の両面に取り付けられた前記圧電素子の露出する外側の電極は接続手段を介して電気的に接続されていることを特徴とする請求項２２に記載の骨伝導スピーカ。
【請求項２４】
前記縦振動板の周囲は前記ケース内に充填される絶縁性の軟質弾性部材で覆われていることを特徴とする請求項２２に記載の骨伝導スピーカ。
【請求項２５】
前記横振動板の前記ケースの外側に露出する面には保護体が取り付けられていることを特徴とする請求項２２に記載の骨伝導スピーカ。
【請求項２６】
前記保護体はシリコーンゴム、樹脂、スポンジ、金メッキのうちのいずれかで形成されていることを特徴とする請求項２５に記載の骨伝導スピーカ。
【発明の詳細な説明】
【技術分野】
【０００１】
本発明は、スピーカ、特に、人体に装着し、骨及び軟骨を介して音信号を聴覚神経に伝導する骨伝導スピーカに適用して有効な技術に関する。
【背景技術】
【０００２】
音響機器等に使用されるスピーカとして、圧電振動体（圧電素子）を用いたスピーカが知られている（例えば、特許文献１）。
【０００３】
また、電子機器のウエアラブル化（装着化）により、ラジオ、ＣＤプレイヤー、ＭＤプレイヤー、テレビ受像機、ＤＶＤプレイヤー等の音響機器からの信号を受けて音楽等を聞くイヤホンも開発されている。また、装着者の耳朶に取り付ける身体装身具にスピーカを組み込んだ骨伝導スピーカも知られている（例えば、特許文献２）。
【０００４】
【特許文献１】特願平１０−５０３６４９号公報（国際公開番号ＷＯ９８／１８２９１号公報）。
【特許文献２】特開２００４−６４４５７号公報。
【発明の開示】
【発明が解決しようとする課題】
【０００５】
従来の圧電素子を用いたスピーカは、薄い振動板の一面に圧電素子を取り付けた構造になっている。例えば、薄い金属板からなる振動板の一面に圧電セラミックス素子を取り付けて圧電振動子（圧電振動板）を構成している。この圧電振動子において、振動板の外周を固定し、中心部分を振動させてスピーカとしている。骨伝導スピーカにおいても同様なスピーカが使用されている。このため、骨伝導スピーカにあっては、圧電振動子の中心の振動を装着者の皮膚に接触させ、これにより皮膚の下に位置する骨に振動を伝える。
【０００６】
圧電振動子の外周部分を固定させ、面中心部を面に対して垂直方向に振動させる従来のスピーカでは、中心部の振り幅（ストローク）を最大にさせる構造になっている。
【０００７】
しかし、骨伝導スピーカの小型化のために、骨伝導スピーカに組み込む上記従来のスピーカを小型化すると、前記面中心部の振動の振り幅（ストローク）が減少することから、音質が劣化してしまうことが判明した。
【０００８】
本発明の目的は音質を劣化させることのない小型のスピーカを提供することにある。
【０００９】
本発明の他の目的は音質を劣化させることのない小型の骨伝導スピーカを提供することにある。
【００１０】
本発明の前記ならびにそのほかの目的と新規な特徴は、本明細書の記述および添付図面からあきらかになるであろう。
【課題を解決するための手段】
【００１１】
本願において開示される発明のうち代表的なものの概要を簡単に説明すれば、下記のとおりである。
【００１２】
（１）スピーカは、
一端が開口し、前記一端の反対面となる他端に底体を有する筒状のケースと、
前記底体に第１の端が固定され、前記第１の端の反対側となる第２の端が前記開口から突出する薄板形状の振動体と、
前記振動体の少なくとも１面に重ねて取り付けられる両面に電極を有する圧電素子（例えば、前記振動体の両面に取り付けられている）と、
前記ケースの内外に亘って延在し、前記圧電素子に電気を供給するコードとを有し、
前記振動体の前記第２の端は、前記圧電素子の動作によって所定の振り幅で振動するように構成されていることを特徴とする。
【００１３】
また、前記振動体は金属板からなり、前記振動体の両面には前記圧電素子がそれぞれ取り付けられ、前記両圧電素子の前記振動体に接続される内側の電極は前記振動体に接続手段を介して電気的に接続され、前記両圧電素子の露出する外側の電極は接続手段を介して電気的に接続されている。前記振動体の周囲は前記ケース内に充填される絶縁性の軟質弾性部材で覆われている。前記振動体の前記第２の端には前記第２の端面を覆う保護体が取り付けられている。前記保護体はシリコーンゴム、樹脂、スポンジ、金メッキのうちのいずれかで形成されている。
【００１４】
（２）前記手段（１）の構成において、前記スピーカにおける前記振動体は、対面する一対の縦振動板と、前記一対の縦振動板の一端側を連結する横振動板とからなり、前記一対の縦振動板の他端側である開放端が前記ケースの前記底体に固定され、前記横振動板が前記ケースの前記開口から突出する門型の振動体となっている。そして、前記一対の縦振動板の両面にそれぞれ重ねて両面に電極を有する圧電素子が取り付けられている。前記振動体は金属板からなり、前記縦振動板の両面に取り付けられた前記圧電素子の前記縦振動板に接続される内側の電極は前記縦振動板に接続手段を介して電気的に接続され、前記縦振動板の両面に取り付けられた前記圧電素子の露出する外側の電極は接続手段を介して電気的に接続されている。従って、前記門型の振動体の前記各振動板は、前記圧電素子の動作によって所定の振り幅で振動する。この振動は門型の振動体の前記横振動板にも現れ、スピーカの発信音の源となる。
【００１５】
（３）骨伝導スピーカは、
装着者の耳朶に取り付ける耳朶取付部と、
前記耳朶取付部から延在する保持部と、
前記保持部に保持されるスピーカとを有し、
前記保持部は、前記耳朶取付部を前記耳朶に装着したとき、前記スピーカの音を発生する振動部が前記装着者の耳介の耳介後部に位置するように前記スピーカを保持する構成になっていることを特徴とする。
【００１６】
また、前記振動部は、前記耳朶取付部を前記耳朶に装着したとき前記耳介後部に所定の圧力を有して接触する構成になっている。前記スピーカは、一端が開口し、前記一端の反対面となる他端に底体を有する筒状のケースと、前記底体に第１の端が固定され、前記第１の端の反対側となる第２の端が前記開口から突出する薄板形状の振動体と、前記振動体の少なくとも１面に重ねて取り付けられる両面に電極を有する圧電素子（例えば、前記振動体の両面に取り付けられている）と、前記ケースの内外に亘って延在し、前記圧電素子に電気を供給するコードとを有し、前記振動体の前記第２の端は、前記圧電素子の動作によって所定の振り幅で振動するように構成され、前記第２の端の端面が前記耳介後部に対面する構成になっている。前記振動体は金属板からなり、前記振動体の両面には前記圧電素子がそれぞれ取り付けられ、前記両圧電素子の前記振動体に接続される内側の電極は前記振動体に接続手段を介して電気的に接続され、前記両圧電素子の露出する外側の電極は接続手段を介して電気的に接続されている。前記振動体の周囲は前記ケース内に充填される絶縁性の軟質弾性部材で覆われている。前記振動体の前記第２の端には前記第２の端面を覆う保護体が取り付けられている。前記保護体はシリコーンゴム、樹脂、スポンジ、金メッキのうちのいずれかで形成されている。
【００１７】
（４）前記手段（３）の構成において、骨伝導スピーカを構成するスピーカの振動体は、対面する一対の縦振動板と、前記一対の縦振動板の一端側を連結する横振動板とからなり、前記一対の縦振動板の他端側である開放端が前記ケースの前記底体に固定され、前記横振動板が前記ケースの前記開口から突出する門型の振動体となっている。そして、前記一対の縦振動板の両面にそれぞれ重ねて両面に電極を有する圧電素子が取り付けられている。前記振動体は金属板からなり、前記縦振動板の両面に取り付けられた前記圧電素子の前記縦振動板に接続される内側の電極は前記縦振動板に接続手段を介して電気的に接続され、前記縦振動板の両面に取り付けられた前記圧電素子の露出する外側の電極は接続手段を介して電気的に接続されている。従って、前記門型の振動体の前記各振動板は、前記圧電素子の動作によって所定の振り幅で振動する。この振動は門型の振動体の前記横振動板にも現れ、スピーカの発信音の源となり、装着者の耳介の耳介後部に伝達される。
【発明の効果】
【００１８】
本願において開示される発明のうち代表的なものによって得られる効果を簡単に説明すれば、下記のとおりである。
【００１９】
前記（１）の手段によれば、（ａ）スピーカの振動体（圧電振動子）は片持ち梁構造となっていることから、他の境界条件より振幅（自由端）が大きく取り出せる。即ち、振動体の一端を固定とした場合、振動体の第２の端（振動部）を耳介後部に押し付ける時の押し付ける力（圧着力）によって、自由から、支持（弾性支持）、固定へと境界条件が変化する。この時、片持ち梁の曲げ振動の理論から、固有振動数（共振周波数）は自由、支持、固定の順に高くなっていく。この際、勿論固有振動モードも変化する。そして、先端部（第２の端）の変位が大きいのは、先端部が自由のときとなる。スピーカの再生音の能力から考えた場合、共振周波数の低い圧電振動子（圧電振動板）の方が低音の再生も容易となりスピーカとしての性能が大となる。これにより、スピーカの出力を増大させることができ、高性能なスピーカを提供することができる。
【００２０】
（ｂ）スピーカの振動体（圧電振動子）は片持ち梁構造となっていることから、共振周波数を低くすることができる。即ち、振動体（圧電振動子）の両端の拘束が強くなるほど共振周波数が高くなり、拘束が弱くなるほど共振周波数は低くなる。そして、拘束が強くなるほど曲げ変化に対する剛性が大きくなる。従って、実施例の場合は振動体（圧電振動子）が片持ち梁構造であることから、拘束が弱くなり、曲げ変化に対する剛性が小さくなる。この結果、振動体の変位は振動が起き易く、耳介後部に比較的大きな振動を伝えることが可能となる。
【００２１】
（ｃ）スピーカにおいて、振動体の第１の端はケースの底体に接着剤によって接着されているが、この接着剤は弾性樹脂体からなることから、振動体の振動はこの弾性樹脂体（接着剤）で吸収されるため、音が底体を通して外に漏れることもなくなり、スピーカの音漏れが防止できる。また減衰効果により、音圧周波数特性においてピーク・ディップを抑え、音圧レベルの平坦化に寄与する。
【００２２】
（ｄ）振動体の周囲はケース内に充填される絶縁性の軟質弾性部材で覆われていることから、振動体は軟質弾性部材で支持され、安定した姿勢を保つことができる。
【００２３】
（ｅ）振動体の第２の端の端面は、シリコーンゴム、樹脂、スポンジ、金メッキのうちのいずれかによる保護体で覆われている。従って、振動体の第２の端面を人体の皮膚に接触させることがあっても皮膚を損傷させることがない。
【００２４】
前記（２）の手段によれば、門型振動体は、圧電素子の動作によって一対の縦振動板が振動し、この振動に伴って一体となる横振動板が所定の振り幅で振動することから、横振動板はスピーカとしての有効な発信源となり、高性能なスピーカとなる。横振動板が耳介後部から圧力を受けて振動が抑えられるが、縦振動板は比較的振動が起き易く、横振動板を介して振動を耳介後部に容易に伝達することが出来る。
【００２５】
前記（３）の手段によれば、（ａ）骨伝導スピーカは、組み込んだスピーカの振動体の端面（第２の端）が装着者の耳介の耳介後部に所定の圧力を有して接触するため、振動体５の第２の端が装着者の皮膚を擦るように振動する。スピーカは、薄板形状の振動体の一端（第１の端）を固定し、他端（第２の端）を自由端とする片持梁構造としてあることから、振動体の第２の端は邪魔されるものもなく、最も大きな振り幅で振動することができる。従って、振動部（第２の端）の振幅は大きく、振動は耳介後部の皮膚の下に位置する耳介軟骨に確実かつ鮮明に伝達されるため、装着者は音質を損なうことなく良好な音情報を聴くことができる。
【００２６】
（ｂ）振動体の第１の端はケースの底体に接着されているが、この接着剤は弾性樹脂体からなることから、圧電素子の振動はこの弾性樹脂体で吸収されるため、音が底体を通して外に音が漏れることもなくなり、音漏れも防止できる。また減衰効果により、音圧周波数特性においてピーク・ディップを抑え、音圧レベルの平坦化に寄与する。また、振動体の周囲はケース内に充填された音（振動）を吸収する軟質弾性部材で覆われている。従って、装着者は周囲に音を撒き散らすことなく、良好な音情報を聴くことができる。
【００２７】
（ｃ）振動体の周囲はケース内に充填された軟質弾性部材で覆われて支持されている。従って、振動体は姿勢を崩すことがなく、長期の使用に耐えることができる。この結果、骨伝導スピーカの長寿命化も達成できる。
【００２８】
（ｄ）振動体の第２の端の端面は、保護体で覆われていることから振動によっても装着者の皮膚を損傷することがなく、装着者は心地好く良好な音情報を聴くことができる。
【００２９】
前記（４）の手段によれば、（ａ）骨伝導スピーカは、組み込んだ門型スピーカの振動部（横振動板）の外表面が、装着者の耳介の耳介後部に所定の圧力を有して接触するため、横振動板が装着者の皮膚を押圧するように振動する。従って、横振動板の振動は装着者の耳介の耳介後部に確実に伝達される。この結果、振動は耳介後部の皮膚の下に位置する耳介軟骨に確実かつ鮮明に伝達されるため、装着者は音質を損なうことなく良好な音情報を聴くことができる。
【００３０】
（ｂ）門型振動体の開放端はケースの底体に接着されている。底体は弾性樹脂体からなることから、門型振動体で発生した振動はこの弾性樹脂体で吸収されるため、音が底体を通して外に音が漏れることもなくなり、音漏れも防止できる。また減衰効果により、音圧周波数特性においてピーク・ディップを抑え、音圧レベルの平坦化に寄与する。また、門型振動体の周囲は音（振動）を吸収する軟質弾性部材で覆われている。従って、装着者は周囲に音を撒き散らすことなく、良好な音情報を聴くことができる。
【００３１】
（ｃ）門型振動体の横振動板の外表面は、保護体で覆われていることから、振動によっても装着者の皮膚を損傷することがなく、装着者は心地好く良好な音情報を聴くことができる。
【発明を実施するための最良の形態】
【００３２】
以下、図面を参照して本発明の実施例を詳細に説明する。なお、発明の実施例を説明するための全図において、同一機能を有するものは同一符号を付け、その繰り返しの説明は省略する。
【実施例１】
【００３３】
図１乃至図６は本発明の実施例１のスピーカ及び骨伝導スピーカに係わる図である。実施例１のスピーカ１は、図１乃至図３に示す構造となっている。図１はスピーカの概要を示す模式的斜視図、図２はスピーカの振動状態を示す模式図、図３（ａ），（ｂ）はスピーカの具体的構造を示す模式図である。
【００３４】
実施例１のスピーカ１は、図２及び図３（ａ）に示すように、一端が開口３し、他端が底体４によって塞がれる筒状のケース２を有している。底体４は底板になっている。また、特に限定はされないが、ケース２は円筒形のＡＢＳ樹脂（アクリロニトリル・ブタジエン・スチレン樹脂）製となっている。ケース２の寸法の一例を挙げれば、外径は１２ｍｍ、内径は９．６ｍｍ、長さは１４．５ｍｍである。また、底体４の厚さは１ｍｍである。ケース２は一体成形品であってもよく、また、円筒体の一端に底体４を貼り合わせる構造のものでもよい。
【００３５】
一方、ケース２の内部には、図１乃至図３に示すように、薄板形状（板状）の金属からなる振動体５が配置されている。この振動体５の両面には、それぞれ圧電素子６が重ねて取り付けられている。振動体５は、例えば、真鍮板で形成されている。振動体５は他の金属板でもよい。
【００３６】
図４は圧電素子（圧電セラミックス素子）６の構造を示す断面図である。図４に示すように、圧電素子６は、ＰＺＴセラミックスからなる本体７と、この本体７の両面に形成された電極８ａ，８ｂとからなっている。本体７は、ピエゾ素子を形成する長方形の板材であり、例えば、鉛(Pb)、ジルコニウム(Zr)、チタン(Ti)と酸素の化合物によって形成されている。このような圧電素子６は、電極８ａ，８ｂに導電性のワイヤ９ａ，９ｂを接続し、これらワイヤ９ａ，９ｂに交流電圧を印加することによって、交互に伸縮動作する。
【００３７】
振動体５の両面には図４に示す圧電素子６が重ねるように取り付けられている。図５は圧電素子６を両面に取り付けた振動体５の一部を示す断面図である。図５は振動体５の底体４に固定する固定端側を示す図である。図５に示すように、振動体５の両面に圧電素子６が導電性接着材１０を介してそれぞれ接続されている。この接着において、一対の圧電素子６の伸縮動作によって振動体５が交互に振動するように、一方の圧電素子６（図５では振動体５の上面側の圧電素子６）は電極８ｂが導電性接着材１０によって振動体５に接着され、他方の圧電素子６（図５では振動体５の下面側の圧電素子６）は電極８ａが導電性接着材１０によって振動体５に接着されるようになっている。この結果、一方の圧電素子６の電極８ｂ及び他方の圧電素子６の電極８ａは振動体５に電気的に接続されて等電位とされる。また、一方の圧電素子６の露出する電極８ａと他方の圧電素子６の露出する電極８ｂは導電性のワイヤ１１を介して電気的に接続されている。さらに、振動体５にはコード１２ａが接続され、圧電素子６の露出する電極８ａ，８ｂのいずれかにコード１２ｂが接続されている。図５ではコード１２ｂは他方の圧電素子６の露出する電極８ｂに接続されている。これらコード１２ａ，１２ｂはケース２の内外に亘って延在している。即ち、コード１２ａ，１２ｂは底体４に設けられたガイド孔１３を通ってケース２の外に引き出されている。コード１２ａ，１２ｂは、図３において、特に符号は付けないが、導電性の芯線と、この芯線を覆う絶縁性の被覆層によって形成され、先端の芯線がそれぞれ圧電素子６の露出する電極８ａまたは電極８ｂに接続される。また、一対の圧電素子６の露出する電極８ａと電極８ｂを接続するワイヤ１１は、導電性の振動体５に接触してショートすることを嫌うため、図３（ａ）に示すように、ワイヤ１１も、特に符号は付けないが、導電性の芯線と、この芯線を覆う絶縁性の被覆層によって形成され、芯線の先端部分がそれぞれ圧電素子６の露出する電極８ａまたは電極８ｂに接続される。
【００３８】
振動体５の両面にそれぞれ圧電素子６が取り付けられるが、圧電素子６の振動体５に接続される内側の電極（図５における振動体５の上面側の電極８ｂ及び振動体５の下面側の電極８ａ）は、接続手段として導電性接着材１０を介して振動体５に電気的に接続されている。また、振動体５の両面に取り付けられる圧電素子６の露出する外側の電極（図５における振動体５の上面側に位置する電極８ａ及び振動体５の下面側に位置する電極８ｂ）は、接続手段としてのワイヤ１１を介して電気的に接続されている。なお、前記接続手段は上記の構成には限定されない。
【００３９】
圧電素子６は、図１及び図２に示すように、振動体５よりも縦、横が短くなり、振動体５の外周は圧電素子６の外周縁よりも外側に張り出している。振動体５は、例えば、幅１０ｍｍ、長さ１５ｍｍ、厚さ０．２ｍｍとなっている。
【００４０】
図３（ａ）に示すように、振動体５の第１の端５ａは、ケース２の底体４の内面に接着剤１４によって固定されている。振動体５は円形の底体４の中央に固定される。この結果、図２及び図３（ａ）に示すように、振動体５はその側縁をケース２に接触させない状態でケース２内を延在し、前記第１の端５ａの反対側となる第２の端５ｂをケース２の開口３側に突出させる構造となる。
【００４１】
振動体５の一面に圧電素子６を貼り付ける（取り付ける）ことによって、一般に呼称される圧電振動子（圧電振動板）が形成される。実施例１の場合は、一枚の金属板からなる振動体５の両面にそれぞれ圧電素子６を貼り付けた構造の圧電振動子（圧電振動板）１８をケース２の底体４に片持ち梁構造として取り付けたものである。
【００４２】
圧電振動子１８の一端、即ち、振動体５の第１の端５ａはケース２の底体４に接着剤１４によって接着されているが、この接着剤１４は弾性樹脂体（例えば、変成シリコーン樹脂（弾性タイプ））からなることから、圧電振動子１８の振動はこの弾性樹脂体（接着剤１４）で吸収されるため、音が底体４を通して外に漏れることもなくなり、スピーカ１の音漏れも防止できる。また減衰効果により、音圧周波数特性においてピーク・ディップを抑え、音圧レベルの平坦化に寄与する。
【００４３】
このようなスピーカ１は、一対のコード１２ａ，１２ｂからの電圧供給によって動作し、振動体５のケース２から突出する第２の端５ｂが所定の振幅で振動する。実施例１のスピーカ１は、振動体５の長さが固有の最大振動幅（振動長）を決定することから、第１の端５ａを固定した場合、自由端となる第２の端５ｂが最も振り幅が大きい部分となる。図１乃至図３で両端に矢印を付けた直線が振動方向を示す。第２の端５ｂの端面はこの振動方向に沿った面となる。実施例１のスピーカ１は、第２の端５ｂの端面が音を伝達する面、即ち、振動を伝える擦り面となり、骨伝導スピーカのスピーカとして使用される場合、図２の耳介後部１５の皮膚面１６に第２の端５ｂの端面を対面させて接触させるようになる。耳介後部１５の皮膚面１６の下には、図示しないが耳介軟骨が位置している。
【００４４】
また、スピーカ１の振動体５の第２の端５ｂは、音信号（振動）を伝達するため、例えば、前述のように皮膚面１６に接触する。そこで、図１に示すように、振動体５の第２の端５ｂの角部や縁に丸み１７を付けて、振動体５で皮膚面１６を振動によって擦っても皮膚が傷ついたりしないようになっている。
【００４５】
図６は装着者の耳朶に装着した実施例１の骨伝導スピーカ２０を示す模式図である。骨伝導スピーカ２０は、装着者の耳朶２１に取り付ける耳朶取付部２２と、耳朶取付部２２から延在する保持部２３と、保持部２３に保持されるスピーカ１とを有する。耳朶取付部２２はＵ字状となり、耳朶２１を弾力的にクランプする構造となっていて、例えば、形状記憶合金で形成されている。保持部２３は耳朶取付部２２と一体に形成、あるいは図示しない接着剤等によって耳朶取付部２２に取り付ける構造となっている。また、スピーカ１は保持部２３にその外周部分を図示しない接着剤によって固定されている。この固定構造によって、スピーカ１の振動体５の第２の端５ｂは、図６及び図２にも示すように、耳介後部１５の皮膚面１６に接触する。即ち、保持部２３は耳朶取付部２２を耳朶２１に装着したときスピーカ１の音を発生する振動部（振動体５の第２の端５ｂ）が耳介後部１５に圧着されて前記振動部で発生する振動が耳介軟骨に伝達される位置にスピーカ１を保持する。皮膚面１６に対する振動部（第２の端５ｂ）の接触圧力は、保持部２３に固定するスピーカ１の位置、あるいは耳朶取付部２２のクランプ力等によって変えることができる。スピーカ１を保持部２３に固定する方法は接着剤に限定されるものではなく、他の構造であってもよい。
【００４６】
スピーカ１が取り付けられる面に対して反対面となる耳朶取付部分には、宝石などの装飾品を取り付けた装飾品取り付け構造２４が設けられている。
【００４７】
このような骨伝導スピーカ２０は、振動体５の動作によって音信号（振動）をスピーカ１の振動体５の第２の端５ｂの振動として耳介後部１５の皮膚面１６に伝える。この振動は皮膚面１６の下の耳介後部１５に伝達され、骨を伝わって聴覚神経に伝わる。
【００４８】
図７は骨伝導スピーカを使用する携帯電話による通信システムの使用環境を示すブロック図であり、携帯電話のインターフェース機器を示してある。図７は図の上から下に向かってそれぞれ点線枠で示すように、携帯電話３０、アダプタ５０、骨伝導スピーカ（骨導式スピーカ機構）２０、マイク機構６０、スピーカ・マイク機構６１の機能構成を示す回路ブロックが示されている。携帯電話３０とアダプタ５０はコネクタ４９によって接続されている。
【００４９】
図７の通信システムは、親機（アダプタ５０）と子機（骨伝導スピーカ２０、マイク機構６０、スピーカ・マイク機構６１）からなる。親機（アダプタ５０) は、携帯電話３０にコネクタ４９を介して優先接続され音声データの送受信を行う。また、携帯電話３０からの音声データは通信制御ブロックで信号処理され送信部を経由しアンテナから子機（骨伝導スピーカ２０、マイク機構６０、スピーカ・マイク機構６１）に対して送出される。子機からの信号はアダプタ５０の受信部を経由し通信制御ブロックで信号処理され、携帯電話３０に送られる。
【００５０】
子機である骨伝導スピーカ２０は、親機（アダプタ５０）から音声信号を受信しスピーカ１で再生する機能を有する。例えば、携帯電話３０で音楽を再生し、それをこの骨伝導スピーカ２０で受信し再生する。
【００５１】
本願発明には直接関係しないが、子機であるマイク機構６０は、子機（マイク機構６０）のマイクで拾った音声信号を親機（アダプタ５０）へ送信する。親機（アダプタ５０）はその受信信号を携帯電話３０に送る。例えば、無線マイクシステムとして使用できる。また、本願発明には直接関係しないが、子機であるスピーカ・マイク機構６１は、スピーカとマイク及び受信・送信部を有するため、音声信号の双方向通信が可能になる。例えば、携帯電話３０のハンズフリーとしての応用が可能である。
【００５２】
実施例１によれば以下の効果を有する。
【００５３】
（１）スピーカ１の振動体５（圧電振動子１８）は片持ち梁構造となっていることから、他の境界条件より振幅（自由端）が大きく取り出せる。即ち、振動体５の一端を固定とした場合、振動体５の第２の端５ｂ（振動部）を耳介後部１５に押し付ける時の押し付ける力（圧着力）によって、自由から、支持（弾性支持）、固定へと境界条件が変化する。この時、片持ち梁の曲げ振動の理論から、固有振動数（共振周波数）は自由、支持、固定の順に高くなっていく。この際、勿論固有振動モードも変化する。そして、先端部（第２の端５ｂ）の変位が大きいのは、先端部が自由のときとなる。スピーカ１の再生音の能力から考えた場合、共振周波数の低い圧電振動子（圧電振動板）１８の方が低音の再生も容易となりスピーカとしての性能が大となる。これにより、スピーカ１の出力を増大させることができる。
【００５４】
（２）スピーカ１の振動体５（圧電振動子１８）は片持ち梁構造となっていることから、共振周波数を低くすることができる。即ち、振動体５（圧電振動子１８）の両端の拘束が強くなるほど共振周波数が高くなり、拘束が弱くなるほど共振周波数は低くなる。そして、拘束が強くなるほど曲げ変化に対する剛性が大きくなる。従って、実施例の場合は振動体５（圧電振動子１８）が片持ち梁構造であることから、拘束が弱くなり、曲げ変化に対する剛性が小さくなる。この結果、振動体の変位は振動が起き易く、耳介後部に比較的大きな振動を伝えることが可能となる。
【００５５】
（３）スピーカ１において、圧電振動子１８の一端、即ち、振動体５の第１の端５ａはケース２の底体４に接着剤１４によって接着されているが、この接着剤１４は弾性樹脂体からなることから、圧電振動子１８の振動はこの弾性樹脂体（接着剤１４）で吸収されるため、音が底体４を通して外に漏れることもなくなり、スピーカ１の音漏れが防止できる。また減衰効果により、音圧周波数特性においてピーク・ディップを抑え、音圧レベルの平坦化に寄与する。
【００５６】
（４）スピーカ１は、振動体５の第２の端５ｂの角部や縁には丸み１７が付けられていることから、振動体５で皮膚面１６を擦っても皮膚が傷ついたりしなくなる。
【００５７】
（５）上記効果を有するスピーカ１を組み込んだ骨伝導スピーカ２０では、装着者の耳朶２１に耳朶取付部２２を装着したときスピーカ１の音を発生する振動部（第２の端５ｂ）の端面が耳介後部１５に所定の圧力を有して接触するため、振動体５の第２の端５ｂが装着者の皮膚（皮膚面１６）を擦るように振動する。そして、この振動の振幅は、第２の端５ｂが自由端となるため大きい。従って、振動（音信号）は皮膚の下に位置する耳介軟骨に確実かつ鮮明に伝達されるため、装着者は音質を損なうことなく良好な音情報を聴くことができる。
【実施例２】
【００５８】
図８（ａ），（ｂ）は本発明の実施例２のスピーカの概要を示す模式図である。実施例２のスピーカ１は、実施例１のスピーカ１において、装着者の皮膚面１６に傷を付けたりしないように、振動体５の第２の端５ｂに第２の端５ｂの端面を覆う保護体６３を取り付けた構造になっている。他の部分は実施例１のスピーカ１と同じである。
【００５９】
保護体６３は、例えば、シリコーンゴムによって形成されている。この保護体６３は、成形によって取り付け側に第２の端５ｂを弾力的に挿入できる窪みが設けられ、この窪みに第２の端５ｂを嵌合させた構造になっている。また、保護体６３の角及び縁は、皮膚を傷つけないため、丸み１７をもたせてある。
【００６０】
保護体６３は、他の材質または構造であってもよい。例えば、保護体６３を、シリコーンゴム以外の他の樹脂やスポンジで形成してもよい。また、メッキ膜で形成してもよい。このメッキ膜の場合も、皮膚を傷つけないために保護体６３の角及び縁に丸み１７を付ける必要がある。メッキ膜として、例えば、金メッキを使用すれば、金属アレルギーを引き起こす装着者でも安心して使用することができる。
【００６１】
実施例２のスピーカ１は、皮膚面１６に接触する第２の端５ｂが保護体６３に覆われていることから、振動体５の第２の端５ｂ側を皮膚面１６に接触させた場合、その接触感が良好であるばかりでなく、振動体５の第２の端５ｂの振動による皮膚の擦りにおいても皮膚が損傷を受けることがない。即ち、振動体５の接触端（第２の端５ｂ）は肌に優しい接触端子となっている。
【００６２】
このような実施例２のスピーカ１は、図６に示す骨伝導スピーカ２０に組み込むことができる。そして、実施例２のスピーカ１を組み込んだ骨伝導スピーカ２０は、実施例１の骨伝導スピーカ２０が有する効果に加えて、装着者の皮膚面１６を傷つける等の損傷を抑止することができる効果がある。
【実施例３】
【００６３】
図９（ａ），（ｂ）は本発明の実施例３のスピーカの概要を示す模式図である。実施例３のスピーカ１は、実施例２のスピーカ１において、ケース２内に絶縁性の軟質弾性部材６４を充填して、振動体５（圧電振動子１８）の周囲を軟質弾性部材６４で覆い、この軟質弾性部材６４で振動体５（圧電振動子１８）を支持する構造となっている。軟質弾性部材６４はスポンジまたは硬度が３〜５程度の軟質ゴムを使用する。軟質弾性部材６４は、例えば、その周囲を接着剤によってケース２の内周面に固定する。ケース２内の振動体５は軟質弾性部材６４によって支持される。実施例３のスピーカ１の他の部分は実施例２のスピーカ１と同じである。
【００６４】
実施例３のスピーカ１では、振動体５（圧電振動子１８）は軟質弾性部材６４によって支持されることから、安定した姿勢を保つことができる。従って、振動体５（圧電振動子１８）が片持ち梁構造であっても、スピーカ１の使用に際しても底体４に対する振動体５（圧電振動子１８）の姿勢が変化せず、良好な状態でスピーカ１を使用することができる。また、軟質弾性部材６４は、振動体５（圧電振動子１８）から発生する音を吸収することから、ケース２の外側への音漏れを防止することができる。
【００６５】
このような実施例３のスピーカ１は、図６に示す骨伝導スピーカ２０に組み込むことができる。そして、実施例３のスピーカ１を組み込んだ骨伝導スピーカ２０は、長期間に亘っての使用が可能になるとともに、音漏れ防止をさらに高めることができる。
【実施例４】
【００６６】
図１０（ａ），（ｂ）は本発明の実施例４のスピーカの概要を示す模式図である。実施例４のスピーカ１は、ケース２内に複数枚の振動体５（圧電振動子１８）を配置した構造となっている。
【００６７】
実施例４のスピーカ１は実施例１のスピーカ１において、ケース２内に振動体５（圧電振動子１８）を２枚並列に配置した構造になっている。また、実施例３と同様に２枚の振動体５（圧電振動子１８）をケース２内に充填した軟質弾性部材６４で支持する構造になっている。実施例４のスピーカ１において、第２の端５ｂに保護体６３を設けてもよい。実施例４のスピーカ１では、振動体５（圧電振動子１８）の数を２枚としたが、さらに多くしてもよい。
【００６８】
実施例４のスピーカ１は、振動体５（圧電振動子１８）の数が多くなることから、スピーカ１の出力が増大する。このような実施例４のスピーカ１を組み込んだ骨伝導スピーカ２０は、スピーカの出力増大により装着者はさらに鮮明な音情報を得ることができる。
【００６９】
図１１は振動体５（圧電振動子１８）を複数有する実施例４の変形例を示すスピーカの一部を示す模式図である。この変形例では、振動体５（圧電振動子１８）を多角形の各辺を構成する配置で底体４に相互に接触することなく複数固定した例を示すものである。図１１（ａ）は四角形の４辺を構成するように振動体５（圧電振動子１８）を配置した例であり、図１１（ｂ）は六角形の６辺を構成するように振動体５（圧電振動子１８）を配置した例である。
【００７０】
図１１（ａ），（ｂ）で示す各スピーカ１は、振動体５（圧電振動子１８）の数が多くなることから、スピーカ１の出力が増大する。このような各スピーカ１を組み込んだ骨伝導スピーカ２０は、スピーカの出力増大により、装着者はさらに鮮明な音情報を得ることができる。
【実施例５】
【００７１】
図１２乃至図１６は本発明の実施例５のスピーカ（門型構造のスピーカ）に係わる図である。図１２は門型構造のスピーカ（門型スピーカ）の外観を示す正面図、図１３は門型スピーカの平面図、図１４は図１３のＡ−Ａ線に沿う断面図、図１５は図１３のＢ−Ｂ線に沿う断面図、図１６は門型スピーカの振動状態を示す模式図である。
【００７２】
実施例５の門型構造のスピーカ（門型スピーカ）１Ａは、実施例１のスピーカ１における振動体５の構造が門型構造となる点で異なる。即ち、実施例１のスピーカ１では、振動体５は板状となるが、実施例５の門型スピーカ１Ａでは、振動体も門型構造となる。従って、振動体を構成部品の一つとする圧電振動子（圧電振動板）の構造も実施例１の圧電振動子１８とは異なり、門型構造の圧電振動子（圧電振動板）１８Ａとなる。実施例５の門型スピーカ１Ａは、圧電振動子が門型構造の圧電振動子（門型圧電振動子）１８Ａになることと、門型構造に伴って構造が変わる部品があること以外の他の部品は実施例１のスピーカ１と同一の構造（構成）になっている。従って、同一構造（構成）の説明は省略する。
【００７３】
実施例５の門型スピーカ１Ａでは、図１４に示すように、門型振動体５Ａは絶縁性樹脂で形成される底体４の内部に門型振動体５Ａの開口端が埋め込まれるようにして固定されている。
【００７４】
門型振動体５Ａは、図１４及び図１５に示すように、対面する一対の縦振動板７０，７１と、前記一対の縦振動板７０，７１の一端側を連結する横振動板７２とからなっている。門型振動体５Ａは一定の幅の金属板を屈曲させて、一対の縦振動板７０，７１と、この一対の縦振動板７０，７１の一端側を横振動板７２で連結させた門型構造となっている。従って、門型振動体５Ａは端が連結されない開放端７３と、この開放端７３の反対側の縦振動板７０，７１にそれぞれ連結される横振動板７２（連結端）とを有する構造になっている。
【００７５】
そして、絶縁性樹脂で形成される底体４の内部に開放端７３を埋め込むことによって、門型振動体５Ａは底体４に固定される構造になっている。開放端７３の先端は内側に折り曲げられて折曲部７４が形成されている。折曲部７４は縦振動板７０，７１に対して交差する方向に延在していることから、折曲部７４の存在によって縦振動板７０，７１は底体４から抜けないようになる。また、門型振動体５Ａの横振動板７２は、図１２及び図１４に示すように、ケース２開口３から外部に突出する構造になっている。この突出長さは、例えば、０．３〜０．５ｍｍ程度が好ましい。実施例では０．５ｍｍ程度となっている。  門型振動体５Ａの縦振動板７０，７１の両面には、図１４に示すように、実施例１と同様な構造で圧電素子６がそれぞれ重ねて取り付けられている。縦振動板７０の両面に取り付けられた圧電素子６の図示しない外側の電極同士はワイヤ１１で電気的に接続されている。縦振動板７０に取り付けられた圧電素子６の内側の図示しない電極は図示しない導電性の接着材によって縦振動板７０に電気的に接続されている。また、同様に縦振動板７１の両面に取り付けられた圧電素子６の図示しない外側の電極同士はワイヤ１１で電気的に接続されている。縦振動板７１に取り付けられた圧電素子６の内側の図示しない電極は図示しない導電性の接着材によって縦振動板７１に電気的に接続されている。一対の縦振動板７０，７１の対面する面（内側の面）に取り付けられた圧電素子６の相互に対面する図示しない電極同士もワイヤ１１で電気的に接続されている。
【００７６】
また、底体４を貫通してケース２の内外に亘って延在するコード１２ａ，１２ｂにおいて、コード１２ａの内端は門型振動体５Ａに電気的に接続されている。図では門型振動体５Ａの縦振動板７０に接続されている。また、コード１２ｂの内端は圧電素子６の露出する図示しない電極面に電気的に接続されている。
【００７７】
縦振動板７０の両面に取り付けられた圧電素子６の縦振動板７０に接続される内側の電極は、実施例１と同様に図示しない導電性接着材１０（図５参照）を接続手段として縦振動板７０に電気的に接続されている。縦振動板７１の両面に取り付けられた圧電素子６の縦振動板７１に接続される内側の電極は、実施例１と同様に図示しない導電性接着材１０（図５参照）を接続手段として縦振動板７１に電気的に接続されている。また、縦振動板７０の両面に取り付けられた圧電素子６の露出する外側の電極は、実施例１と同様に接続手段とするワイヤ１１を介して電気的に接続されている。縦振動板７１の両面に取り付けられた圧電素子６の露出する外側の電極は、実施例１と同様に接続手段とするワイヤ１１を介して電気的に接続されている。さらに、対面する縦振動板７０，７１の内側の面に取り付けられた圧電素子６の対面する電極は、図１４に示すように、接続手段とするワイヤ１１を介して電気的に接続されている。これにより、４個の圧電素子６の露出する電極は等電位となる。なお、前記接続手段は上記の構成には限定されない。
【００７８】
門型振動体５Ａは、例えば、幅７ｍｍ、厚さ０．２ｍｍの細長の真鍮板を成形して形成される。各部の寸法の一例を挙げると、図１４に示すように、縦振動板７０，７１の長さ（高さ）ａは１３．５ｍｍ、横振動板７２の長さｂは６．６ｍｍとなっている。また、折曲部７４の長さｃは１．８ｍｍである。ケース２内径は１０ｍｍ、外径は１２ｍｍで、長さ（高さ）ｄは１３．５ｍｍである。圧電素子６の幅は７ｍｍであり、長さｅは１０．５ｍｍである。圧電素子６の端から縦振動板７０，７１の端までの長さｆは１．５ｍｍである。底体４の厚さｇは１．３ｍｍである。実施例５の門型スピーカ１Ａにおいては、縦振動板７０，７１の長さ（高さ）に比較して、横振動板７２の長さが短くなっている。横振動板は耳介後部に圧着されると振動が抑えられる。その為、縦振動板で振動を起こさせる必要がある。従って縦振動板の長さを制限一杯にしている。
【００７９】
実施例５では、底体４を形成する絶縁性樹脂として弾性樹脂体を使用している。弾性樹脂体として、例えば、変成シリコーン樹脂（弾性タイプ）が使用されている。この弾性樹脂体は、門型圧電振動子１８Ａで発生する振動を吸収することから、振動（音）が底体４を通して外に漏れることもなく、門型スピーカ１Ａの音漏れが防止できる。また減衰効果により、音圧周波数特性においてピーク・ディップを抑え、音圧レベルの平坦化に寄与する。
【００８０】
このような門型スピーカ１Ａにおいては、門型振動体５Ａは、圧電素子６の動作によって縦振動板７０，７１が振動し、この振動に伴って一体となる横振動板７２が所定の振り幅で振動する。
【００８１】
図１６に門型振動体５Ａの振動状態を示す。振動は、図１６に示すように、門型振動体５Ａが実線で示される状態と二点鎖線で示される状態を交互に繰り返すことによって発生する。実線の状態は、一対の縦振動板７０，７１が接近するように変形するときは横振動板７２がケース２の外側に突出するように変形する。また、二点鎖線の状態は、一対の縦振動板７０，７１が遠ざかるように変形したときは横振動板７２がケース２の内側に引っ込むように変形する。
【００８２】
実施例５では、振動が有効に発生するように、前述のように４個の圧電素子６をバイモルフ型に配置してある。図１６において、両端に矢印を示す線分は振動方向を示すものである。
【００８３】
図１７は実施例５の門型スピーカ１Ａを組み込んだ骨伝導スピーカ２０を装着者の耳朶に装着した状態を示す模式的断面図である。図１７はスピーカ１が門型スピーカ１Ａとなっている以外は他の部分は図６（実施例１）と同じである。保持部２３に固定された門型スピーカ１Ａの横振動板７２が、装着者の耳介後部１５の皮膚面１６に所定の圧力を有して接触するようになっている。
【００８４】
門型スピーカ１Ａは、一対の縦振動板７０，７１と、この縦振動板７０，７１の一端側を連結する横振動板７２とで構成される門型振動体５Ａを有する。そして、横振動板７２が装着者の耳朶後部に圧着される状態では、全体的に見れば実施例１の片持ち梁の場合に比べて、拘束は弱い。また、残りの２つのスパン（縦振動板７０，７１）があることによって振動も起き易い。この結果、門型スピーカ１Ａにおいては効率的な振動発生が可能になり、スピーカとして高性能に機能する。
【００８５】
また、門型振動体５Ａの横振動板７２の中央が常に腹となる振動が起きやすいように、分極方向を考慮して縦振動板７０，７１に４枚の圧電素子６を貼り付けた構造としてある。
【実施例６】
【００８６】
図１８は本発明の実施例６である門型構造のスピーカを示す断面図である。実施例６の門型スピーカ１Ａは、実施例５の門型スピーカ１Ａにおいて、耳朶後部に接触する横振動板７２の外側表面に実施例２のように保護体６３を設ける構造となっている。保護体６３の構造及び材質は実施例２と同様である。
【００８７】
実施例６の門型スピーカ１Ａは、皮膚面１６（図２参照）に接触する横振動板７２が保護体６３に覆われていることから、横振動板７２を皮膚面１６に接触させた場合、その接触感が良好であるばかりでなく、横振動板７２の振動による皮膚の擦りにおいても皮膚が損傷を受けることがない。
【００８８】
このような実施例６の門型スピーカ１Ａは、図１７に示す骨伝導スピーカ２０に組み込むことができる。そして、実施例６の門型スピーカ１Ａを組み込んだ骨伝導スピーカ２０は、実施例５の骨伝導スピーカ２０が有する効果に加えて装着者の皮膚面を傷つける等の損傷を抑止することができる効果がある。
【００８９】
実施例６の門型スピーカ１Ａは、実施例５の門型スピーカ１Ａにおいて、ケース２内に実施例３と同様に軟質弾性部材６４を充填して門型振動体５Ａを支持させるようになっている。
【００９０】
実施例６の門型スピーカ１Ａでは、門型振動体５Ａ（門型圧電振動子１８Ａ）は軟質弾性部材６４によって支持されることから、安定した姿勢を保つことができ、長期間に渡って使用することができる。また、軟質弾性部材６４は、門型振動体５Ａ（門型圧電振動子１８Ａ）から発生する音を吸収することから、ケース２の外側への音漏れを防止することができる。
【００９１】
このような実施例３のスピーカ１は、図６に示す骨伝導スピーカ２０に組み込むことができる。そして、実施例６の門型スピーカ１Ａを組み込んだ骨伝導スピーカ２０は、長期間に亘っての使用が可能になるとともに、音漏れ防止をさらに高めることができる。
【００９２】
以上本発明者によってなされた発明を実施例に基づき具体的に説明したが、本発明は上記実施例に限定されるものではなく、その要旨を逸脱しない範囲で種々変更可能であることはいうまでもない。
【図面の簡単な説明】
【００９３】
【図１】本発明の実施例１のスピーカの概要を示す模式的斜視図である。
【図２】前記スピーカの振動状態を示す模式図である。
【図３】前記スピーカの構造を示す断面図である。
【図４】圧電セラミックス素子（圧電素子）の構造を示す断面図である。
【図５】圧電セラミックス素子（圧電素子）を両面に重ねて取り付けた振動体の一部を示す断面図である。
【図６】装着者の耳朶に装着した実施例１の骨伝導スピーカを示す模式的断面図である。
【図７】実施例１の骨伝導スピーカを使用する携帯電話の使用環境を示すブロック図である。
【図８】本発明の実施例２のスピーカの概要を示す断面図である。
【図９】本発明の実施例３のスピーカの概要を示す断面図である。
【図１０】本発明の実施例４のスピーカの一部を示す断面図である。
【図１１】本発明の実施例４の変形例である２種類のスピーカの一部を示す断面図である。
【図１２】本発明の実施例５である門型構造のスピーカの外観を示す正面図である。
【図１３】実施例５の門型構造のスピーカの平面図である。
【図１４】図１３のＡ−Ａ線に沿う断面図である。
【図１５】図１３のＢ−Ｂ線に沿う断面図である。
【図１６】実施例５の門型構造のスピーカの振動状態を示す模式図である。
【図１７】装着者の耳朶に装着した実施例５の骨伝導スピーカを示す模式的断面図である。
【図１８】本発明の実施例６である門型構造のスピーカを示す断面図である。
【符号の説明】
【００９４】
１…スピーカ、２…ケース、３…開口、４…底体、５…振動体、５ａ…第１の端、５ｂ…第２の端、６…圧電素子（圧電セラミックス素子）、７…本体、８ａ，８ｂ…電極、９ａ，９ｂ…ワイヤ、１０…導電性接着材、１１…ワイヤ、１２ａ，１２ｂ…コード、１３…ガイド孔、１４…接着剤、１５…耳介後部、１６…皮膚面、１７…丸み、１８…圧電振動子（圧電振動板）、２０…骨伝導スピーカ（骨導式スピーカ機構）、２１…耳朶、２２…耳朶取付部、２３…保持部、２４…装飾品取り付け構造、３０…携帯電話、４９…コネクタ、５０…アダプタ、６０…マイク機構、６１…スピーカ・マイク機構、６３…保護体、６４…軟質弾性部材、７０，７１…縦振動板、７２…横振動板、７３…開放端、７４…折曲部。
【図１】
2007096386.tif 000003
【図２】
2007096386.tif 000004
【図３】
2007096386.tif 000005
【図４】
2007096386.tif 000006
【図５】
2007096386.tif 000007
【図６】
2007096386.tif 000008
【図７】
2007096386.tif 000009
【図８】
2007096386.tif 000010
【図９】
2007096386.tif 000011
【図１０】
2007096386.tif 000012
【図１１】
2007096386.tif 000013
【図１２】
2007096386.tif 000014
【図１３】
2007096386.tif 000015
【図１４】
2007096386.tif 000016
【図１５】
2007096386.tif 000017
【図１６】
2007096386.tif 000018
【図１７】
2007096386.tif 000019
【図１８】
2007096386.tif 000020